(57)【要約】【課題】  操作スイッチ部の操作性を低下させることなく、操作スイッチ部及び操作パネルを埃や砂等から確実に保護することができるリモコン装置用カバー部材を提供する。【解決手段】  本体部５１の表面部に設けられた操作パネル５２上に突出配置された操作スイッチ部５３及び操作パネル５２を被覆するリモコン装置用カバー部材１０であって、操作パネル５２を被覆しうる操作パネル被覆部１３と、操作パネル被覆部１３から突出形成され、操作スイッチ部５３を被覆しうる操作スイッチ部被覆部１４とを備えたカバー部材本体１１と、操作パネル被覆部１３の裏面部側に設けられ、操作パネル５２に密着しうる粘着部１２とを備えている。【選択図】  図１
0003200649.tif 000002
【実用新案登録請求の範囲】
【請求項１】
本体部の表面部に設けられた操作パネル上に突出配置された操作スイッチ部及び前記操作パネルを被覆するリモコン装置用カバー部材であって、前記操作パネルを被覆しうる操作パネル被覆部と、前記操作パネル被覆部から突出形成され、前記操作スイッチ部を被覆しうる操作スイッチ部被覆部とを備えたカバー部材本体と、前記操作パネル被覆部の裏面部側に設けられ、前記操作パネルに密着しうる粘着部とを備えていることを特徴とするリモコン装置用カバー部材。
【請求項２】
前記粘着部は前記操作パネル被覆部の裏面部側全域に設けられていることを特徴とする請求項１記載のリモコン装置用カバー部材。
【請求項３】
前記操作スイッチ部は、複数の押ボタンスイッチ及びトグルスイッチにより構成され、前記操作スイッチ部被覆部は、前記複数の押ボタンスイッチ及びトグルスイッチの形状に適合する断面形状に形成されていることを特徴とする請求項１記載のリモコン装置用カバー部材。
【請求項４】
前記カバー部材本体は、弾性を有する透明な合成樹脂により形成されていることを特徴とする請求項１記載のリモコン装置用カバー部材。
【請求項５】
前記粘着部は、透明な粘着シートにより構成され、前記操作パネル被覆部の平面形状と略同一に形成されていることを特徴とする請求項４記載のリモコン装置用カバー部材。
【考案の詳細な説明】
【技術分野】
【０００１】
本考案は、車両に搭載された作業機を遠隔操作しうるリモコン装置に装着しうるリモコン装置用カバー部材に関するものである。
【背景技術】
【０００２】
従来より、作業機を車両に搭載することによって、荷物の運搬と積み下ろし作業を１台の車両で効率良く行うことができる車両が知られている。特に、クレーンをトラックに搭載したトラック搭載型クレーンは、建築資材のみならず、高額な重機や墓石なども、荷物に衝撃を与えることなく、安全に下ろすことができるというメリットを有している。
前記のようなトラック搭載型クレーンにあっては、安全面を考慮してクレーンの操作を遠隔操作が可能なリモコン装置で行なう方式が増加している。しかしながら、リモコン装置を使用する際に、押ボタンスイッチやトグルスイッチを有する操作スイッチ部が埃や砂等によって汚れたり、またその埃や砂等が操作スイッチ部と操作パネルとの隙間から入り込むことによって、誤動作が起きたりするといった事態が生じていた。
【０００３】
前記のような事態を防止するために、例えば特許文献１には、車両上に作業機を搭載し、この車両あるいは作業機をハンドヘルドタイプのリモコン装置でもって操縦する作業車両のリモコン装置であって、前記リモコン装置の操作スイッチ等を配置した操縦面を覆うカバーを備えたリモコン装置において、前記カバーを面状の弾性体で作るとともに、カバーの一端を前記リモコン装置の適所に貼付手段で貼付けて構成したことを特徴とする作業車両のリモコン装置が開示されている。
【０００４】
また、特許文献２には、スイッチが設けられた操作パネルと、該操作パネルの上縁部及び側縁部から前方に延在するパネルガードと、前記操作パネルの後方に膨出する膨出部と、該膨出部から下方に延出する把持部とを有し、車両又は船舶に搭載された作業機を前記スイッチにより遠隔操作可能なリモコン装置に対し、着脱可能に取り付けられるリモコン装置用カバー部材であって、前記パネルガードを覆うパネルガード保護部と、前記膨出部を覆う膨出部保護部とを有することを特徴とするリモコン装置用カバー部材が開示されている。
【０００５】
しかし、特許文献１に開示されたカバーにあっては、平坦な面状に形成されたカバーであり、その一端をリモコン装置の適所に貼付けられるようにしたものであるため、前記のように押ボタンスイッチやトグルスイッチを有する操作スイッチ部が設けられたリモコン装置に適用すると、前記カバーと操作スイッチ部との間に隙間が生じ、スイッチの操作がしにくくなると共に、前記隙間から操作スイッチ部へ埃や砂等が入り込んでしまうという不具合があった。
また、特許文献２は、リモコン装置に設けられた操作スイッチ部及び操作パネルをカバーする技術ではなく、前記不具合を解消できるものではない。
【特許文献１】実用新案登録第２５７５２６０号公報
【特許文献２】実用新案登録第３１９６１２９号公報
【考案の開示】
【考案が解決しようとする課題】
【０００６】
本考案は、以上のような従来からの不具合を解消するためのものであって、その課題は、操作スイッチ部の操作性を低下させることなく、操作スイッチ部及び操作パネルを埃や砂等から確実に保護することができるリモコン装置用カバー部材を提供することにある。
【課題を解決するための手段】
【０００７】
前記課題を解決するために、請求項１に記載の考案にあっては、本体部の表面部に設けられた操作パネル上に突出配置された操作スイッチ部及び前記操作パネルを被覆するリモコン装置用カバー部材であって、前記操作パネルを被覆しうる操作パネル被覆部と、前記操作パネル被覆部から突出形成され、前記操作スイッチ部を被覆しうる操作スイッチ部被覆部とを備えたカバー部材本体と、前記操作パネル被覆部の裏面部側に設けられ、前記操作パネルに密着しうる粘着部とを備えていることを特徴とする。
【０００８】
従って、前記リモコン装置用カバー部材を前記リモコン装置に装着した場合には、前記操作スイッチ部被覆部及び前記操作パネル被覆部は、前記操作スイッチ部及び前記操作パネルを、夫々被覆し、前記操作パネル被覆部は前記粘着部によって前記操作パネルに密着する。
【０００９】
請求項２に記載の考案にあっては、前記粘着部は前記操作パネル被覆部の裏面部側全域に設けられていることを特徴とする。
【００１０】
従って、前記リモコン装置用カバー部材を前記リモコン装置に装着した場合には、前記操作パネル被覆部は、前記粘着部によって前記操作パネル全域に密着する。
【００１１】
請求項３に記載の考案にあっては、前記操作スイッチ部は、複数の押ボタンスイッチ及びトグルスイッチにより構成され、前記操作スイッチ部被覆部は、前記複数の押ボタンスイッチ及びトグルスイッチの形状に適合する断面形状に形成されていることを特徴とする。
【００１２】
従って、前記リモコン装置用カバー部材を前記リモコン装置に装着した場合には、前記操作スイッチ部被覆部は、前記操作スイッチ部を構成する複数の押ボタンスイッチ及びトグルスイッチを隙間のない状態で被覆する。
【００１３】
請求項４に記載の考案にあっては、前記カバー部材本体は、弾性を有する透明な合成樹脂により形成されていることを特徴とする。
【００１４】
請求項５に記載の考案にあっては、前記粘着部は、透明な粘着シートにより構成され、前記操作パネル被覆部の平面形状と略同一に形成されていることを特徴とする。
【考案の効果】
【００１５】
請求項１に記載のリモコン装置用カバー部材にあっては、前記リモコン装置用カバー部材を前記リモコン装置に装着した場合には、前記操作スイッチ部被覆部及び前記操作パネル被覆部は、前記操作スイッチ部及び前記操作パネルを、夫々被覆し、前記操作パネル被覆部は前記粘着部によって前記操作パネルに密着するので、前記リモコン装置の前記操作スイッチ部及び前記操作パネルを確実に被覆することができる。
その結果、操作スイッチ部及び操作パネルを埃や砂等から確実に保護することができるリモコン装置用カバー部材を提供することができる。
【００１６】
請求項２に記載のリモコン装置用カバー部材にあっては、前記リモコン装置用カバー部材を前記リモコン装置に装着した場合には、前記操作パネル被覆部は、前記粘着部によって前記操作パネル全域に密着するので、前記操作パネルと前記操作パネル被覆部との間に隙間が生じることなく、前記カバー部材本体を前記リモコン装置に確実に密着させることができる。
その結果、前記操作スイッチ部へ埃や砂等が入り込んでしまうといった事態をより効果的に防止することができる。
【００１７】
請求項３に記載のリモコン装置用カバー部材にあっては、前記リモコン装置用カバー部材を前記リモコン装置に装着した場合には、前記操作スイッチ部被覆部は、前記操作スイッチ部を構成する複数の押ボタンスイッチ及びトグルスイッチを隙間のない状態で被覆するので、前記操作スイッチ部被覆部に被覆された状態の前記操作スイッチ部を確実に操作することができる。その結果、従来技術におけるような前記操作スイッチ部の操作性を低下させるといった事態を防止することができる。
【００１８】
請求項４に記載のリモコン装置用カバー部材にあっては、前記カバー部材本体は、弾性を有する透明な合成樹脂により形成されているので、前記リモコン装置用カバー部材を前記リモコン装置に装着した状態で前記操作スイッチ部を操作した場合には、前記操作スイッチ部自体の動きに応じて前記操作スイッチ部被覆部が弾性変形する。その結果、前記操作スイッチ部被覆部に被覆された状態の前記操作スイッチ部を確実に操作することができる。
【００１９】
請求項５に記載のリモコン装置用カバー部材にあっては、前記粘着部は、透明な粘着シートにより構成され、前記操作パネル被覆部の平面形状と略同一に形成されているので、前記リモコン装置用カバー部材を前記リモコン装置に装着した場合には、前記操作パネルに表示された文字等を視認可能な状態に保つことができると共に、前記カバー部材本体を前記リモコン装置に確実に密着させることができる。
【図面の簡単な説明】
【００２０】
【図１】図１は、本考案に係るリモコン装置用カバー部材の一実施の形態において、リモコン装置用カバー部材をリモコン装置に装着した状態を示す斜視図である。
【図２】図２は、本考案に係るリモコン装置用カバー部材の一実施の形態を示す側面図である。
【図３】図３は、本考案に係るリモコン装置用カバー部材の一実施の形態において、操作パネル被覆部の裏面部を示す斜視図である。
【考案を実施するための最良の形態】
【００２１】
以下、添付図面に示す実施の形態に基づき、本考案を詳細に説明する。
図１に示すように、本考案の一実施の形態に係るリモコン装置用カバー部材１０は、リモコン装置５０の本体部５１の表面部に設けられた操作パネル５２上に突出配置された操作スイッチ部５３及び操作パネル５２を被覆するように構成され、図１〜図３に示すように、弾性を有する透明な合成樹脂により形成されたカバー部材本体１１と、透明な粘着シートで構成された粘着部１２とを備えている。
また、図１〜図３に示すように、本実施の形態に係るカバー部材本体１１は、
操作パネル５２を被覆しうる操作パネル被覆部１３と、操作パネル被覆部１３から突出形成され、操作スイッチ部５３を被覆しうる操作スイッチ部被覆部１４とを備えている。
【００２２】
また、図１及び図３に示すように、本実施の形態に係る操作パネル５２は、一つの長辺部が円弧状に膨出した平面略長方形状に形成され、操作パネル被覆部１３は、操作パネル５２と同一平面形状を有する全体薄板状に形成されている。
【００２３】
また、図１に示すように、本実施の形態に係る操作スイッチ部５３は、操作パネル５２の幅方向に沿って直線状に配設され、４個の略短円柱状に形成された押ボタンスイッチ５４、５４・・・と、略円弧状に操作パネル５２上に幅方向に沿って配設され、４個の略円錐状に形成されたトグルスイッチ５５、５５・・・とにより構成されている。
図１〜図３に示すように、本実施の形態に係る操作スイッチ部被覆部１４は、４個の押ボタンスイッチ被覆部１５、１５・・・と、４個のトグルスイッチ被覆部１６、１６・・・とにより構成され、押ボタンスイッチ被覆部１５、１５・・・及びトグルスイッチ被覆部１６、１６・・・は、夫々、押ボタンスイッチ５４、５４・・・及びトグルスイッチ５５、５５・・・の形状に適合する断面形状に形成されている。
また、図１〜図３に示すように、本実施の形態に係る押ボタンスイッチ被覆部１５、１５・・・は、夫々が操作パネル被覆部１３の幅方向に沿って直線上に、互いに押ボタンスイッチ５４、５４の間と同一の間隔寸法分離間して配設され、押ボタンスイッチ５４と同一の高さ寸法を有する略短円柱状に突出形成されている。
同様に、図１〜図３に示すように、本実施の形態に係るトグルスイッチ被覆部１６、１６・・・は、夫々が押ボタンスイッチ５４、５４・・・とトグルスイッチ５５、５５・・・との夫々の間と同一の間隔寸法分、押ボタンスイッチ被覆部１５、１５・・・から離間して、トグルスイッチ５５、５５・・・の配置と同一の曲率を有する円弧状に、互いにトグルスイッチ５５、５５の間と同一の間隔寸法分離間して配設され、トグルスイッチ５５と同一の高さ寸法を有する略円錐状に突出形成されている。
【００２４】
また、図１〜図３に示すように、本実施の形態に係る粘着部１２は、操作パネル被覆部１３の裏面部側全域に設けられ、操作パネル５２に密着するように構成されている。詳しくは、図３に示すように、本実施の形態に係る粘着部１２は、操作パネル被覆部１３の平面形状と略同一に形成されている。
また、図３に示すように、本実施の形態に係る粘着部１２には、孔部１７、１７・・・、孔部１８、１８・・・が、夫々、４個ずつ穿設されている。図３に示すように、本実施の形態に係る孔部１７、１７・・・は、夫々が粘着部１２の幅方向に沿って直線上に、互いに押ボタンスイッチ５４、５４の間と同一の間隔寸法分離間して形成されている。同様に、図３に示すように、本実施の形態に係る孔部１８、１８・・・は、夫々が押ボタンスイッチ５４、５４・・・とトグルスイッチ５５、５５・・・との夫々の間隔寸法分、押ボタンスイッチ被覆部１５、１５・・・から離間して、トグルスイッチ５５、５５・・・の配置と同一の曲率を有する円弧状に、互いにトグルスイッチ５５、５５の間と同一の間隔寸法分離間して形成されている。
【００２５】
以下、本実施の形態に係るリモコン装置用カバー部材１０の作用について、添付図面を用いて説明する。
図１に示すように、本実施の形態に係るリモコン装置用カバー部材１０は、リモコン装置５０に装着して使用する。
この際、図１に示すように、本実施の形態に係る押ボタンスイッチ被覆部１５、１５・・・及びトグルスイッチ被覆部１６、１６・・・にあっては、押ボタンスイッチ５４、５４・・・及びトグルスイッチ５５、５５・・・が配設された位置に対応して形成されている。
従って、図１に示すように、本実施の形態に係るリモコン装置用カバー部材１０をリモコン装置５０に装着した場合には、押ボタンスイッチ被覆部１５、１５・・・及びトグルスイッチ被覆部１６、１６・・・は、夫々、押ボタンスイッチ５４、５４・・・及びトグルスイッチ５５、５５・・・を密接した状態で被覆するので、リモコン装置５０の操作スイッチ部５３及び操作パネル５２を確実に被覆することができる。
その結果、操作スイッチ部５３及び操作パネル５２を埃や砂等から確実に保護することができるリモコン装置用カバー部材１０を提供することができる。
【００２６】
また、図１及び図３に示すように、本実施の形態に係るリモコン装置用カバー部材１０にあっては、リモコン装置用カバー部材１０をリモコン装置５０に装着した場合において、操作パネル被覆部１３は、操作パネル被覆部１３の平面形状と略同一に形成された粘着部１２によって操作パネル５２全域に密着されるので、操作パネル５２と操作パネル被覆部１３との間に隙間が生じることなく、カバー部材本体１１をリモコン装置５０に確実に密着させることができる。
その結果、操作スイッチ部５３へ埃や砂等が入り込んでしまうといった事態を防止することができる。
【００２７】
また、図３に示すように、本実施の形態に係る粘着部１２には、孔部１７、１７・・・及び孔部１８、１８・・・が、操作パネル被覆部１３の押ボタンスイッチ被覆部１５、１５・・・及びトグルスイッチ被覆部１６、１６・・・が配設された位置に対応して、夫々、穿設されているので、リモコン装置用カバー部材１０をリモコン装置５０に装着する場合には、粘着部１２が押ボタンスイッチ５４、５４・・・及びトグルスイッチ５５、５５・・・に干渉するといった事態を防止することができ、その結果、操作パネル被覆部１３を粘着部１２によって操作パネル５２に密着させることができる。
【００２８】
また、本実施の形態に係るリモコン装置用カバー部材１０を装着したリモコン装置５０を使用する場合には、図１に示すように、リモコン装置５０の把持部５６を把持して、操作スイッチ部被覆部１４に被覆された操作スイッチ部５３を操作する。
この際、図１に示すように、操作スイッチ部５３を構成する押ボタンスイッチ５４、５４・・・及びトグルスイッチ５５、５５・・・は、夫々、操作スイッチ部被覆部１４を構成する押ボタンスイッチ被覆部１５、１５・・・及びトグルスイッチ被覆部１６、１６・・・によって隙間のない状態で被覆されているので、操作スイッチ部５３を確実に操作することができる。
その結果、操作スイッチ部５３の操作性を低下させるといった事態を防止することができる。
【００２９】
さらに、本実施の形態に係るリモコン装置用カバー部材１０にあっては、カバー部材本体１１は、弾性を有する合成樹脂により形成されているので、図１に示すように、リモコン装置用カバー部材１０をリモコン装置５０に装着した状態で操作スイッチ部５３を操作した場合には、操作スイッチ部５３自体の動きに応じて操作スイッチ部被覆部１４が弾性変形する。
その結果、操作スイッチ部被覆部１４に被覆された状態の操作スイッチ部５３をより確実に操作することができる。
【００３０】
また、図１に示すように、本実施の形態に係るリモコン装置用カバー部材１０にあっては、カバー部材本体１１が透明な合成樹脂により形成されると共に、粘着部１２が透明な粘着シートにより構成されているので、リモコン装置用カバー部材１０をリモコン装置５０に装着した場合には、操作パネル５２に表示された文字５７や、記号５８を視認可能な状態に保つことができる。
【００３１】
本実施の形態に係るカバー部材本体１１は、弾性を有する透明な合成樹脂により形成されている場合を例に説明したが、前記構成に限定されない。
また、本実施の形態に係る粘着部１２は、透明な粘着シートで構成され、操作パネル被覆部１３の裏面部側全域に設けられている場合を例に説明したが、前記構成に限定されない。
【００３２】
本実施の形態に係るリモコン装置用カバー部材１０は、車両に搭載された作業機を遠隔操作しうるリモコン装置に装着しうるリモコン装置用カバー部材に限定されず、船舶用クレーン、定置式クレーン、クローラークレーン等の作業機を遠隔操作しうるリモコン装置にも適用可能である。
【産業上の利用可能性】
【００３３】
本考案は、リモコン装置に装着しうるリモコン装置用カバー部材に広く適用可能であり、産業上利用可能性を有している。
【符号の説明】
【００３４】
１０：リモコン装置用カバー部材
１１：カバー部材本体
１２：粘着部
１３：操作パネル被覆部
１４：操作スイッチ部被覆部
１５：押ボタンスイッチ被覆部
１６：トグルスイッチ被覆部
１７、１８：孔部
５０：リモコン装置
５１：本体部
５２：操作パネル
５３：操作スイッチ部
５４：押ボタンスイッチ
５５：トグルスイッチ
５６：把持部
５７：文字
５８：記号
５４：押ボタンスイッチ
５５：トグルスイッチ
５６：把持部
５７：文字
５８：記号
【図１】
0003200649.tif 000003
【図２】
0003200649.tif 000004
【図３】
0003200649.tif 000005